(57)【要約】【課題】本発明は苺等の苗定植用穿孔具に関し、ドライバー、ドリル等の工具部品をアタッチメントに交換可能に取り付ける既製の電動工具を利用して駆動が行え、畝に自動的に作業効率良く苗を定植するための穴を掘削でき、労力および時間を軽減し、掘削される穴は柔らかい状態で掘り上げ、定植後の苗の根付きが良く、発育に適する。【解決手段】モータＭにより回転可能に設ける駆動側回転軸１に装設するアタッチメント２に、数種のドライバー、ドリル等の工具部品を交換可能に取付ける既製の電動工具Ａのアタッチメントに穿孔ユニットＵの基端部３ａが着脱可能に取付けられて駆動側回転軸１からの回転力を受動して回転可能に設けられ、先端側に先鋭部４が設けられた受動側回転軸体３と、受動側回転軸体の外周に数ピッチが捲回して設けられた螺旋体５と、螺旋体の外周に取付けられる略筒状の掘削土飛散防止カバー６と、を備える。【選択図】図１
2009195153.tif 000002
【特許請求の範囲】
【請求項１】
モータを駆動源として回転可能に設ける駆動側回転軸に装設するアタッチメントに、寸法、形状を異にした数種のドライバー、ドリル等の工具部品を交換可能に取付ける既製の電動工具の前記アタッチメントに着脱可能に穿孔ユニットが取付けられる苺等の苗定植用穿孔具において、
前記穿孔ユニットは、
前記アタッチメントに基端部が着脱可能に取付けられて前記駆動側回転軸からの回転力を受動して回転可能に設けられ、先端側には先鋭部が設けられた受動側回転軸体と、
前記先鋭部の下端から数ｃｍの上部外周を始端として数ピッチが捲回して設けられた螺旋体と、
該螺旋体の外周に取付けられる略筒状の掘削土飛散防止カバーと、
を備えたことを特徴とする苺等の苗定植用穿孔具。
【請求項２】
モータを駆動源として回転可能に設ける駆動側回転軸に装設するアタッチメントに、寸法、形状を異にした数種のドライバー、ドリル等の工具部品を交換可能に取付ける既製の電動工具の前記アタッチメントに着脱可能に穿孔ユニットが取付けられる苺等の苗定植用穿孔具において、
前記穿孔ユニットは、
前記アタッチメントに基端部が着脱可能に取付けられて前記駆動側回転軸からの回転力を受動して回転可能に設けられ、少なくとも第１の回転駆動部品、および第２の回転駆動部品を装着した１本の第１受動側回転軸体と、
第１の前記回転駆動部品、および第２の前記回転駆動部品からの回転力を無端状の動力伝達部品を介して受動して回転する回転受動部品を上部外周に有し、先端側には先鋭部が設けられた複数個の受動側回転軸体と、
前記先鋭部の下端から数ｃｍの上部外周を始端として数ピッチが捲回して設けられた螺旋体と、
該螺旋体の外周に取付けられる略筒状の掘削土飛散防止カバーと、
を備えたことを特徴とする苺等の苗定植用穿孔具。
【請求項３】
前記螺旋体が、その進行方向でのリード角を段階的に順次数度づつ増加して急勾配になるように形成されたことを特徴とする請求項１または２に記載の苺等の苗定植用穿孔具。
【請求項４】
前記掘削土飛散防止カバーが、掘削土の掘削深さを推測する目印を外周に表示していることを特徴とする請求項１−３の何れかに記載の苺等の苗定植用穿孔具。
【請求項５】
前記掘削土飛散防止カバーが、前記受動側回転軸体、および前記螺旋体に対して固定手段を介して着脱可能に取付けられることを特徴とする請求項１−４の何れかに記載の苺等の苗定植用穿孔具。
【発明の詳細な説明】
【技術分野】
【０００１】
本発明は苺等の苗定植用穿孔具に関し、例えばポットにより育苗された苺等の苗をビニールハウス内に造設された畝に定植するための穴を、掘削土を押し潰して硬化することなしに、簡単な操作により、多くの労力および時間を要することなく、作業効率良く穿孔が行え、また定植後の苗の育成も好適に行えるようにする。
【背景技術】
【０００２】
農作物として例えば苺、メロン、すいか等はランナー（蔓）が親苗から伸びる。苺の苗を考えると、苺は６月から７月頃に親苗（元の苗）からランナー（蔓）が伸びる。そして、このランナーに発芽した苗（苺を収穫するための苗）を培養土に密着させることにより発根させ、増殖をはかるようにしている。その後、苗はポットや育苗箱を用いて例えばビニールハウス内において育成をはかり、通常、１０月から遅くとも１１月中旬までに畝に穴を掘り、定植が行われることにより、その年の年末（１２月）から翌年の５月一杯くらいまでの収穫期間内に苺は収穫される。
【０００３】
従来、里芋や馬鈴薯を被覆フィルムを被せた畝に穴を掘って植え付けるための植え付け用の穿孔具として、カッタ部を下端に設け、外周にはペダルを突設した筒状本体の上端部にハンドルを有するフレームが取付けられ、前記筒状本体内には連結棒を有する円形ピストンを上下摺動自在に設け、前記連結棒の上端に設けられた操作レバーと前記フレームに設けられた連結プレートとを係合させる構成のものがある。そして、里芋や馬鈴薯を植え付けるのに先だって、畝に孔を掘るには、筒状本体に設けられたペダルを足で踏むことによりフィルムで覆った畝に筒状本体を食い込ませる。それから、土中に筒状本体が食い込むのにつれて、土圧により円形ピストンは上昇する。そして、筒状本体が畝の所定深さに達した後に、筒状本体を引き抜くことにより掘削土を筒状本体内に保持し、穴を掘る。それから、里芋や馬鈴薯を穴内に植込み後に、操作レバーを操作することにより筒状本体内の土を円形ピストンにより押し出し、覆土を行うようにしたものがある（例えば、特許文献１参照。）。
【特許文献１】特開２００４−１２９６５２号公報
【発明の開示】
【発明が解決しようとする課題】
【０００４】
しかしながら、里芋や馬鈴薯を被覆フィルムを被せた畝に穴を掘って植え付けるための特許文献１に記載の上記従来の植え付け用の穿孔具は、植え付けに先立って畝に穴を掘るには、穿孔具のペダルを足で踏むことによりフィルムで覆った畝に筒状本体を食い込ませる。そして、土中に筒状本体が食い込むのにつれて、円形ピストンが筒状本体内に圧入される掘削土の土圧により上昇され、筒状本体が畝の所定深さに達した後に、筒状本体を引き抜くことにより掘削土を筒状本体内に保持して穴を掘るものであった。従って、足でペダルを踏まれる筒状本体の周囲に穿たれる穴は、筒状本体に設けられたペダルを足で踏む時の押圧力により硬く踏み固められてしまう。このため、細く、柔らかい髭根を有する苺のような植物は、定植時にポットや育苗箱を用いて育苗された苗を、上記従来の穿孔具を用いて畝に穿孔された穴に定植しようとすると、根が折損したり、傷付き易く、大きなダメージを受け易いのと、根詰まりを生じ易くなり、健全な根が周囲に発育するのが阻害されて根詰まりを生じ易い。そのため、苗の根付きが悪いのと、また、定植後においても、水や肥料が土中に浸透する浸透性にも欠けるのと、土中における酸素含有率も少ないので、上記従来の植え付け用の穿孔具は苺等の前記作物の定植には不向きであり、植え付け後の活着も悪いものであった。
【０００５】
また、特許文献１に記載の上記従来の植え付け用の穿孔具は、畝に穴を掘るのに、筒状本体に設けられたペダルを足で踏む時の押圧力により行うという人力にて畝に穴を掘るものであるので、穴の掘削には多大な労力、および時間がかかり、作業効率は低いものであった。または穴に作物を植え付け後に穴内に掘削土を埋め戻すのに、多くの労力、および手間がかかるものであった。
【０００６】
本発明は上記従来の欠点を解決するためになされたものであり、ドライバー、ドリル等の工具部品をアタッチメントに交換可能に取り付ける既製の電動工具を利用して駆動が行え、畝に自動的に作業効率良く苺等の苗を定植するための穴を掘削でき、労力および時間を大幅に軽減し、また、掘削される穴は畝に硬くならずに柔らかい状態で掘り上げることができ、根が折損したり、傷付いたりすることなく、ダメージが少なく、また、定植後の根付きが良く、水や肥料の土中への浸透性は良好であり、また、土中での酸素含有量も多く、定植後の苗の発育に適し、取扱操作も簡単であり、製作コストも安価な苺等の苗定植用穿孔具を提供することを目的とする。
【課題を解決するための手段】
【０００７】
本発明は上記課題に鑑みなされ、請求項１に記載の発明は、
モータを駆動源として回転可能に設ける駆動側回転軸に装設するアタッチメントに、寸法、形状を異にした数種のドライバー、ドリル等の工具部品を交換可能に取付ける既製の電動工具の前記アタッチメントに着脱可能に穿孔ユニットが取付けられる苺等の苗定植用穿孔具において、
前記穿孔ユニットは、
前記アタッチメントに基端部が着脱可能に取付けられて前記駆動側回転軸からの回転力を受動して回転可能に設けられ、先端側には先鋭部が設けられた受動側回転軸体と、
前記先鋭部の下端から数ｃｍの上部外周を始端として数ピッチが捲回して設けられた螺旋体と、
該螺旋体の外周に取付けられる略筒状の掘削土飛散防止カバーと、
を備えたことを特徴とする。
【０００８】
また、本発明の請求項２に記載の発明は、モータを駆動源として回転可能に設ける駆動側回転軸に装設するアタッチメントに、寸法、形状を異にした数種のドライバー、ドリル等の工具部品を交換可能に取付ける既製の電動工具の前記アタッチメントに着脱可能に穿孔ユニットが取付けられる苺等の苗定植用穿孔具において、
前記穿孔ユニットは、
前記アタッチメントに基端部が着脱可能に取付けられて前記駆動側回転軸からの回転力を受動して回転可能に設けられ、少なくとも第１の回転駆動部品、および第２の回転駆動部品を装着した１本の第１受動側回転軸体と、
第１の前記回転駆動部品、および第２の前記回転駆動部品からの回転力を無端状の動力伝達部品を介して受動して回転する回転受動部品を上部外周に有し、先端側には先鋭部が設けられた複数個の受動側回転軸体と、
前記先鋭部の下端から数ｃｍの上部外周を始端として数ピッチが捲回して設けられた螺旋体と、
該螺旋体の外周に取付けられる略筒状の掘削土飛散防止カバーと、
を備えたことを特徴とする。
【０００９】
また、本発明の請求項３に記載の発明は、請求項１または２において、前記螺旋体が、その進行方向でのリード角を段階的に順次数度づつ増加して急勾配になるように形成されたことを特徴とする。
【００１０】
また、本発明の請求項４に記載の発明は、請求項１−３の何れかにおいて、前記掘削土飛散防止カバーが、掘削土の掘削深さを推測する目印を外周に表示しているたことを特徴とする。
【００１１】
さらに、本発明の請求項５に記載の発明は、請求項１−４の何れかにおいて、前記掘削土飛散防止カバーが、前記受動側回転軸体、および前記螺旋体に対して固定手段を介して着脱可能に取付けられることを特徴とする。
【発明の効果】
【００１２】
本発明の請求項１に記載の発明によれば、モータを駆動源として回転可能に設ける駆動側回転軸に装設するアタッチメントに、寸法、形状を異にした数種のドライバー、ドリル等の工具部品を交換可能に取付ける既製の電動工具の前記アタッチメントに着脱可能に穿孔ユニットが取付けられる苺等の苗定植用穿孔具において、前記穿孔ユニットは、前記アタッチメントに基端部が着脱可能に取付けられて前記駆動側回転軸からの回転力を受動して回転可能に設けられ、先端側には先鋭部が設けられた受動側回転軸体と、前記先鋭部の下端から数ｃｍの上部外周を始端として数ピッチが捲回して設けられた螺旋体と、該螺旋体の外周に取付けられる略筒状の掘削土飛散防止カバーと、を備えたので、ドライバー、ドリル等の工具をアタッチメントに交換可能に取り付ける既製の電動工具を利用して駆動が行える。そして、畝に自動的に作業効率良く苺等の苗を定植するための穴を掘削でき、労力および時間を大幅に軽減することができる。また、掘削される穴は、畝に硬くならずに柔らかい状態で掘り上げることができ、根が折損したり、傷付いたりすることなく、ダメージが少なく、また、苗の定植後の根付きが良く、水や肥料の土中への浸透性は良好であり、また、土中での酸素含有量も多く、定植後の苗等の発育に適する。さらに、取扱操作も簡単であり、既製の電動工具を利用して駆動が行えるので、製作コストは安価になる。
【００１３】
また、本発明の請求項２に記載の発明は、モータを駆動源として回転可能に設ける駆動側回転軸に装設するアタッチメントに、寸法、形状を異にした数種のドライバー、ドリル等の工具部品を交換可能に取付ける既製の電動工具の前記アタッチメントに着脱可能に穿孔ユニットが取付けられる苺等の苗定植用穿孔具において、前記穿孔ユニットは、前記アタッチメントに基端部が着脱可能に取付けられて前記駆動側回転軸からの回転力を受動して回転可能に設けられ、少なくとも第１の回転駆動部品、および第２の回転駆動部品を装着した１本の第１受動側回転軸体と、第１の前記回転駆動部品、および第２の前記回転駆動部品からの回転力を無端状の動力伝達部品を介して受動して回転する回転受動部品を上部外周に有し、先端側には先鋭部が設けられた複数個の受動側回転軸体と、前記先鋭部の下端から数ｃｍの上部外周を始端として数ピッチが捲回して設けられた螺旋体と、該螺旋体の外周に取付けられる略筒状の掘削土飛散防止カバーと、を備えたので、ドライバー、ドリル等の工具をアタッチメントに交換可能に取り付ける既製の電動工具を利用して駆動が行える。そして、畝に自動的に作業効率良く苺等の苗を定植するための穴を複数個づつ同時に掘削でき、労力および時間を大幅に軽減することができる。また、掘削される穴は、硬くならずに柔らかい状態で畝に掘り上げることができ、根が折損したり、傷付いたりすることなく、ダメージが少なく、また、定植後の苗の根付きが良く、水や肥料の土中への浸透性は良好であり、また、土中での酸素含有量も多く、定植後の苗の発育に適する。さらに、取扱操作も簡単であり、既製の電動ドリルを利用して駆動が行えるので、製作コストは安価になる。
【００１４】
また、本発明の請求項３に記載の発明は、前記螺旋体が、その進行方向でのリード角を段階的に順次数度づつ増加して急勾配になるように形成されたので、苺等の苗を定植するための穴を掘削する場合に、押圧力を掘削土にかけて硬くせずに柔らかい状態で畝に自動的に作業効率良く穴を掘り上げて排出することができ、労力および時間を大幅に軽減することができる。また、掘削される穴は、畝に硬くならずに柔らかい状態で掘り上げることができるので、根が折損したり、傷付いたりすることなく、ダメージが少なく、また、定植後の苗の根付きが良く、水や肥料の土中への浸透性は良好であり、また、土中での酸素含有量も多く、定植後の苺等の苗の発育に適する。
【００１５】
また、本発明の請求項４に記載の発明は、前記掘削土飛散防止カバーが、掘削土の掘削深さを推測する目印を外周に表示しているので、苺等の苗を定植するための穴を畝に自動的に掘削する場合に、掘削土飛散防止カバーの外部から苺等の苗の定植に必要な所望深さの穴を容易かつ確実に畝に掘削することができ、便利である。
【００１６】
さらに、本発明の請求項５に記載の発明は、前記掘削土飛散防止カバーが、前記受動側回転軸体、および前記螺旋体に対して固定手段を介して着脱可能に取付けられるので、穴を畝に掘削する使用時には、掘削土飛散防止カバーにより螺旋体によって堀上げられる掘削土が周囲に飛散されるのが防止される。また、螺旋体が掘削土を掘削する最中に回転しても、指等を不用意に傷付けることなく、安全である。さらに、穴を畝に掘削後の不使用時には、掘削土飛散防止カバーを取外すことにより水洗いする等の掃除に便利である。また、掘削土中に生息する病虫害に対する予防対策として穿孔具自体を消毒、および滅菌するのに便利であり、さらには受動側回転軸体や螺旋体を交換する場合の保守・点検も容易かつ確実に行える。
【発明を実施するための最良の形態】
【００１７】
以下、図面に従って本発明の実施の最良の形態により、本発明の詳細を説明する。
【００１８】
図１は本発明の苺等の苗定植用穿孔具の実施形態１を示す斜視図、図２は同じく畝に穴を穿孔する直前の説明的な断面図、図３は同じく畝に穴を穿孔している状態の説明的な断面図、図４は同じく畝に穴を穿孔した直後の説明的な断面図、図５は同じく本実施形態１を構成する螺旋体を示す説明的な斜視図である。
【００１９】
本発明の実施形態１は、モータＭを駆動源として回転可能に設ける駆動側回転軸１に装設するアタッチメント２に、寸法、形状を異にした数種のドライバー、ドリル等の工具部品（図には示さず）を交換可能に取付ける既製の電動工具Ａの前記アタッチメント２に着脱可能に穿孔ユニットＵが取付けられる苺等の苗定植用穿孔具において、前記穿孔ユニットＵは、前記アタッチメント２に基端部３ａが着脱可能に取付けられて前記駆動側回転軸１からの回転力を受動して回転可能に設けられ、先端側には先鋭部４が設けられた受動側回転軸体３と、前記先鋭部４の下端４ａから数ｃｍの上部外周を始端として数ピッチが捲回して設けられた螺旋体５と、該螺旋体５の外周に取付けられる略筒状の掘削土飛散防止カバー６と、を備えている。
【００２０】
前記螺旋体５が、その進行方向Ｉでの螺旋勾配７を段階的に順次数度づつ増加して急勾配になるように形成されている。本実施形態では、この螺旋体５が、進行方向Ｉに順次、数度づつ増加する３段階のリード角α１、α２、α３を有する３つの螺旋素体５Ａ、５Ｂ、５Ｃを連続的に連結することにより形成される。このように、螺旋体５の３段階に形成された３つの螺旋素体５Ａ、５Ｂ、５Ｃのリード角α１、α２、α３を進行方向Ｉに順次、数度づつ増加するのは、畝１６に穴１５を掘削する際に掘削土９を掘り起こして掘削土飛散防止カバー６から迅速かつ円滑に外部に排出するためである。また、螺旋体５の幅は、苗を育苗するためのポットの内径や発育が早い苗の種類に応じて畝１６に穿設される穴１５に合わせて増減される。
【００２１】
８は前記掘削土飛散防止カバー６の外周に表示された目印であり、この目印８は、前記掘削土飛散防止カバー６を介して外部から掘削土９の掘削深さＷを推測するためのものである。そして、この目印８は、例えば着色された粘着テープを掘削土飛散防止カバー６の外周に貼付けるか、または横線を塗料にて塗布したり、印刷する等して表示され、ポット等で育苗される苗の発育状態や苺の種類により異なるその植え付け深さに対応して選択される。
【００２２】
前記掘削土飛散防止カバー６が、前記螺旋体５に対してその外周に溶接Ｐにより固定されても良いし、これに限ることなく、図６に示す他の実施形態２のように掘削土飛散防止カバー６が、受動側回転軸体３、および螺旋体５に対して固定手段１０を介して着脱可能に取付けられても良い。
【００２３】
この固定手段１０は、例えば筒状の前記掘削土飛散防止カバー６の内壁の、内周上部、および内周略中間部の少なくとも２個所に、両端の折曲部１１ａ,１１bがリベット１２；１２等の固定部品を介して固定される架設部材１１、１１と、該架設部材１１、１１の中央に前記受動側回転軸体３が挿脱可能に挿入される取付環体部１３、１３と、該取付環体部１３の求芯方向に前記受動側回転軸体３の外周に押付可能に螺入される取付ねじ１４と、から形成される（図６参照）。
【００２４】
本実施形態１の苺等の苗定植用穿孔具は以上の構成からなり、ビニールハウス内においてポットや育苗箱を用いて育苗された苗を、定植するために穴１５を畝１６に穿孔するのには、ドライバー、ドリル等の工具部品をアタッチメント２に交換可能に取り付ける既製の電動工具Ａの前記アタッチメント２に受動側回転軸体３を嵌入、締着することにより取付ける（図１参照）。
【００２５】
その後、前記電動工具ＡのモータＭを駆動させて駆動側回転軸１を回転駆動させると、アタッチメント２を介して穿孔ユニットＵの受動側回転軸体３が回転されるので、この受動側回転軸体３の先端側に設けた先鋭部４を畝１６に突き刺して揺れを防止し、この受動側回転軸体３の前記先鋭部４の下端４ａから数ｃｍの上部外周を始端として数ピッチが捲回して設けられた螺旋体５は受動側回転軸体３を中心に一体に回転されるため、この螺旋体５の回転により畝１６から掘削土９は連続して掘り上げられる（図３参照）。
【００２６】
この際、螺旋体５が、図５に示すように、その進行方向Ｉでの螺旋勾配７を、本実施形態１では、数度づつ３段階に順次増加されるリード角α１、α２、α３を有する３つの螺旋素体５Ａ、５Ｂ、５Ｃを連続的に進行方向Ｉに連結することにより形成されているので、苺等の苗を定植するための穴１５を畝１６に掘削する場合に、螺旋体５が回動されることにより連続して畝１６から自動的に、且つ作業効率良く押圧力が掘削土に加わって硬くなることなく、柔らかい状態で穴１５は掘り上げられ、掘削土飛散防止カバー６の外部へ排出されるため、労力および時間を大幅に軽減することができる（図３参照）。
【００２７】
しかも、既製の電動工具Ａを利用してそのアタッチメント２に本実施形態１の穿孔ユニットＵの受動側回転軸体３を着脱可能に取り付けることにより電動工具ＡからのモータＭの駆動力を駆動側回転軸１を介して受動側回転軸体３が受動して回転駆動されるので、穿孔ユニットＵ自体の構造、および取扱い操作は簡単になり、しかも、製作、および組付けは容易になり、製作コストは安価になる。
【００２８】
そして、螺旋体５により堀り上げられる掘削土９は螺旋体５の外周に設けられた筒状の掘削土飛散防止カバー６により周囲に飛散されるのが防止される。また、螺旋体５が掘削土９を掘削している最中に回転しても、掘削土飛散防止カバー６により遮断されるため、指等を不用意に傷付けることなく、安全である。
【００２９】
この際、掘削土飛散防止カバー６には、掘削土９の掘削深さＷを推測する目印８が外周に表示されているので、苺等の苗を定植するための穴１５を畝１６に自動的に掘削する場合に、掘削土飛散防止カバー６の外部から苺等の苗を定植に必要な所望深さの穴１５を容易かつ確実に畝１６に掘削することができ、便利である。
【００３０】
このようにして畝１６に掘削される穴１５は、螺旋体５が回転することにより螺旋体５のリード角７に案内されて筒状の掘削土飛散防止カバー６の外部に排出されるように、連続して堀り上げられるものであり、特許文献１に記載の従来の植え付け用の穿孔具のように押付力を畝の掘削土にペダルの押付けにより加えることにより掘削するのではないので、穴１５は硬くならずに柔らかい状態で掘り上げることができる。
【００３１】
従って、ポットや育苗箱を用いてビニールハウス内で育苗された苗の根部を畝１６に掘削された穴１５内に挿入し、該穴１５内に土を埋め戻すことにより、根が折損したり、傷付いたりすることなく、ダメージが少なく、また、定植後の苗の根付きが良く、水や肥料の土中への浸透性は良好であり、また、土中での酸素含有量も多く、定植後の苗等の発育に適する。こうして、畝１６に掘られた穴１５への苗の定植が迅速かつ確実に行える。
【００３２】
そして、苗の定植作業が終了後に、本実施形態の苺等の苗定植用穿孔具は、付着した汚れを水洗いする等の掃除が行われる。また、掘削土９中に生息する病虫害に対する予防対策として時期を選んで穿孔具自体の消毒、および滅菌が行われる。
【００３３】
この際、図６に示すように、掘削土飛散防止カバー６が、前記受動側回転軸体３、および前記螺旋体５に対して固定手段１０を介して着脱可能に取付けられる他の実施形態２では、固定手段１０の取付ねじ１４を取付環体部１３から螺退後に、受動側回転軸体３から掘削土飛散防止カバー６を脱嵌させて取外せば、掘削土飛散防止カバー６を、前記受動側回転軸体３、および前記螺旋体５に対して分解することができるので、水洗いする等の掃除が容易且つ確実に行える。また、掘削土９中に生息する病虫害に対する予防対策として穿孔具自体を例えばバケツに入れた消毒液に漬ける等することにより消毒したり、または、滅菌するのに便利であり、さらには、受動側回転軸体３や螺旋体５が摩耗や痛んだ場合の保守・点検も容易かつ確実に行える。
【００３４】
図７，および図８に示すものは本発明の実施形態３である。この実施形態３では、モータＭを駆動源として回転可能に設ける駆動側回転軸１に装設するアタッチメント２に、寸法、形状を異にした数種のドライバー、ドリル等の工具部品を交換可能に取付ける既製の電動工具Ａの前記アタッチメント２に着脱可能に穿孔ユニットＵ′が取付けられる苺等の苗定植用穿孔具における点は前記実施形態１と同様である。
【００３５】
しかしながら、この実施形態３では、前記穿孔ユニットＵ′は、前記アタッチメント２に基端部２０が着脱可能に取付けられて前記駆動側回転軸１からの回転力を受動して回転可能に設けられ、少なくとも第１の回転駆動部品２１、および第２の回転駆動部品２２を装着した１本の第１受動側回転軸体２３と、第１の前記回転駆動部品２１、および第２の前記回転駆動部品２２からの回転力を無端状の動力伝達部品２４,２４を介して受動して回転する回転受動部品２５,２６を上部外周に有し、先端側には先鋭部4が設けられた複数個の受動側回転軸体３,３と、前記先鋭部4の下端４ａから数ｃｍの上部外周を始端として数ピッチが捲回して設けられた螺旋体5と、該螺旋体5の外周に取付けられる略筒状の掘削土飛散防止カバー6と、を備えた構成である点が前記実施形態１と異なる構成である。
【００３６】
そして、この実施形態３では、ドライバー、ドリル等の工具部品をアタッチメント２に交換可能に取り付ける既製の電動工具Ａを利用して駆動が行える。そして、畝１６に自動的に作業効率良く苺等の苗を定植するための穴１５を複数個づつ同時に掘削でき、前記実施形態１，および前記実施形態２よりも労力および時間を大幅に軽減することができる等の異なる作用、効果を奏する。なお、２７は前記第１受動側回転軸体２３と、複数個、例えば図示するように２個の受動側回転軸体３,３とを回転可能に保持するための、保持板であり、この保持板２７の長さＬを長短調整することにより受動側回転軸体３,３間の間隔Ｋを長短選定するようにして畝１６に穿設するための穴１５,１５の間隔Ｌ１を調整する。
【００３７】
また、図示するこの実施形態３では、電動工具Ａの前記駆動側回転軸１からの回転力を受動して受動側回転軸体３,３を回転させるのに、第１の回転駆動部品２１、および第２の回転駆動部品２２、また、回転受動部品２５,２６としてプーリを用いるとともに、無端状の動力伝達部品２４,２４として、ベルトを用いているが、図示するものに限らず、例えば第１の回転駆動部品２１、および第２の回転駆動部品２２、また、回転受動部品２５,２６としてスプロケットを用いるとともに、無端状の動力伝達部品２４,２４として、チェーンを用いてもよく、さらには、噛合する歯車群により駆動側回転軸１からの回転力を受動して受動側回転軸体３,３を回転させてもよい。
【００３８】
また、上記実施形態１乃至実施形態３では、苺の苗を定植する場合の穴１５を畝１６に穿孔する場合を代表的に説明したが、定植を行う苗は苺に限ることなく、例えばメロン、すいか等の果物類、または、例えばトマト、なす、きゅうり、ピーマン等の果菜類、ほうれん草、小松菜、キャベツ、はくさい等の葉茎菜類、大根、かぶ、にんじん、ごぼう、れんこん等の根菜類、インゲン豆、サヤエンドウ豆、空豆等の豆類、さらには、草花、植木等の苗等が挙げられ、要はポットにより育成されたポット苗等を定植するために、畝１６に穴１５を穿孔するために用いるものであれば、如何様な植物であってもよい。
【００３９】
また、掘削土飛散防止カバー６は図示するように円筒形に限られず、六角形、八角形等の多角形で良く、しかも、掘削土飛散防止カバー６の内径、高さの増減変更は自由に行えるとともに、螺旋体５の設置幅、ピッチ、設置長さの増減変更も自由に行える。しかも、螺旋体５の螺旋方向は、右巻きまたは左巻きの何れでもよい。
【産業上の利用可能性】
【００４０】
本発明は、ドライバー、ドリル等の工具部品をアタッチメントに交換可能に取り付ける既製の電動工具を利用して駆動が行え、畝に自動的に作業効率良く苺等の苗を定植するための穴を掘削でき、労力および時間を大幅に軽減し、また、掘削される穴は畝に硬くならずに柔らかい状態で掘り上げることができ、根が折損したり、傷付いたりすることなく、ダメージが少なく、また、苗の定植後の根付きが良く、水や肥料の土中への浸透性は良好であり、また、土中での酸素含有量も多く、定植後の苗の発育に適し、取扱操作も簡単であり、製作コストも安価であるとする用途・機能に適する。
【図面の簡単な説明】
【００４１】
【図１】図１は本発明の苺等の苗定植用穿孔具の実施形態１を示す斜視図である。
【図２】図２は同じく畝に穴を穿孔する直前の説明的な断面図である。
【図３】図３は同じく畝に穴を穿孔している状態の説明的な断面図である。
【図４】図４は同じく畝に穴を穿孔した直後の説明的な断面図である。
【図５】図５は同じく本実施形態１を構成する螺旋体を示す説明的な斜視図である。
【図６】図６は本発明の苺等の苗定植用穿孔具の実施形態２を示す説明的な断面図である。
【図７】図７は本発明の苺等の苗定植用穿孔具の実施形態３を示す斜視図である。
【図８】図８は同じく畝に穴を穿孔した直後の斜視図である。
【符号の説明】
【００４２】
１      駆動側回転軸
２      アタッチメント
３      受動側回転軸体
３ａ    基端部
４      先鋭部
４ａ    下端      
５      螺旋体
５Ａ    螺旋素体
５Ｂ    螺旋素体
５Ｃ    螺旋素体
６      掘削土飛散防止カバー
７      螺旋勾配
７Ａ    リード角
７Ｂ    リード角
７Ｃ    リード角
８      目印
９      掘削土
１５    穴
１６    畝
Ａ      電動工具
Ｉ      進行方向
Ｕ      穿孔ユニット
Ｕ′    穿孔ユニット
Ｗ      掘削深さ
【図１】
2009195153.tif 000003
【図２】
2009195153.tif 000004
【図３】
2009195153.tif 000005
【図４】
2009195153.tif 000006
【図５】
2009195153.tif 000007
【図６】
2009195153.tif 000008
【図７】
2009195153.tif 000009
【図８】
2009195153.tif 000010